【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
ビット値によって駆動される制御スイッチと、
クロック信号によって駆動される重み付きスイッチと、
前記制御スイッチと前記重み付きスイッチとの間に結合される中間ノードと、
前記中間ノードに結合され、前記クロック信号の反転によって駆動されるプリチャージトランジスタと、
を含む、装置。
【請求項２】
請求項１に記載の装置であって、
前記制御スイッチと前記重み付きスイッチとがキャパシタに結合される、装置。
【請求項３】
請求項２に記載の装置であって、
前記キャパシタに結合され、前記キャパシタをプリチャージすることができる、キャパシタプリチャージトランジスタを更に含む、装置。
【請求項４】
請求項１に記載の装置であって、
前記制御スイッチと前記重み付きスイッチとがオフ状態に駆動されるときに前記プリチャージトランジスタがオン状態に遷移される、装置。
【請求項５】
請求項１に記載の装置であって、
前記ビット値の反転によって駆動される第２の制御スイッチと、
第２のクロック信号によって駆動される第２の重み付きスイッチと、
前記第２の制御スイッチと前記第２の重み付きスイッチとの間に結合される第２の中間ノードと、
前記中間ノードに結合され、第２のクロック信号の反転によって駆動される第２のプリチャージトランジスタと、
を更に含み、
前記第１の重み付きスイッチが、前記第２の重み付きスイッチと実質的に同じキャパシタンスを有する、装置。
【請求項６】
請求項５に記載の装置であって、
前記第２の制御スイッチと前記第２の重み付きスイッチとが前記キャパシタに結合され、前記キャパシタが、前記第１のクロック信号と前記第２のクロック信号との混合位相出力を生成するようにインバータに結合される、装置。
【請求項７】
請求項１に記載の装置であって、
前記ビット値が制御ワードの一部である、装置。
【請求項８】
第１のビット値によって駆動される第１の制御スイッチと、
第１のクロック信号によって駆動される第１の重み付きスイッチと、
前記第１の制御スイッチと前記第２の重み付きスイッチとの間に結合される第１の中間ノードと、
前記第１の中間ノードに結合され、前記第１のクロック信号の反転によって駆動される第１のプリチャージトランジスタと、
第２のビット値によって駆動される第２の制御スイッチと、
第２のクロック信号によって駆動される第２の重み付きスイッチと、
前記第２の制御スイッチと前記第２の重み付きスイッチとの間に結合される第２の中間ノードと、
前記第２の中間ノードに結合され、前記第２のクロック信号の反転によって駆動される第２のプリチャージトランジスタと、
前記第１の制御スイッチと前記第２の制御スイッチと前記第１のプリチャージトランジスタと前記第２のプリチャージトランジスタとに結合されるキャパシタと、
を含む、装置。
【請求項９】
請求項８に記載の装置であって、
前記キャパシタに結合され、前記キャパシタをプリチャージすることができる、キャパシタプリチャージトランジスタを更に含む、装置。
【請求項１０】
請求項９に記載の装置であって、
前記第１の制御スイッチと前記第１の重み付きスイッチとがオフ状態に駆動されるときに前記第１のプリチャージトランジスタがオン状態に遷移される、装置。
【請求項１１】
請求項８に記載の装置であって、
前記キャパシタが、前記第１のクロック信号と前記第２のクロック信号との混合位相出力を発生するように、インバータに結合される、装置。
【請求項１２】
請求項８に記載の装置であって、
前記第１のビット値が制御ワードの一部である、装置。
【請求項１３】
請求項８に記載の装置であって、
第３のビット値によって駆動される第３の制御スイッチと、
第１のクロック信号によって駆動される第３の重み付きスイッチと、
前記第３の制御スイッチと前記第３の重み付きスイッチとの間に結合される第３の中間ノードと、
前記第３の中間ノードに結合され、前記第１のクロック信号の反転によって駆動される第３のプリチャージトランジスタと、
第４のビット値によって駆動される第４の制御スイッチと、
前記第２のクロック信号によって駆動される第４の重み付きスイッチと、
前記第４の制御スイッチと前記第４の重み付きスイッチとの間に結合される第４の中間ノードと、
前記第４の中間ノードに結合され、前記第２のクロック信号の反転によって駆動される第４のプリチャージトランジスタと、
を更に含み、
前記キャパシタが、前記第３の制御スイッチと前記第４の制御スイッチと前記第３のプリチャージトランジスタと前記第４のプリチャージトランジスタとに結合され、
前記第１の重み付きスイッチが、前記第３の重み付きスイッチと実質的に同じキャパシタンスを有する、装置。
【請求項１４】
複数のタップを有する遅延ロックループ（ＤＬＬ）と、
前記ＤＬＬの連続タップから信号を受信するように結合される位相ブレンダと、
前記位相ブレンダに制御ワードを提供するように前記位相ブレンダに結合される状態機械と、
前記位相ブレンダと前記状態機械とに結合されるトグル回路と、
前記トグル回路に結合されるデューティサイクル補正回路と、
前記トグル回路と状態機械とに結合されるシグマデルタ変調器と、
を含む、システムであって、
前記位相ブレンダが、
ビット値によって駆動される制御スイッチと、
クロック信号によって駆動される重み付きスイッチと、
前記制御スイッチと前記重み付きスイッチとの間に結合される中間ノードと、
前記中間ノードに結合されるプリチャージトランジスタと、
を含み、
前記プリチャージトランジスタが前記クロック信号の反転によって駆動される、システム。
【請求項１５】
請求項１４に記載のシステムであって、
前記位相ブレンダが、制御スイッチと前記重み付きスイッチとに結合されるキャパシタを更に含む、システム。
【請求項１６】
請求項１５に記載のシステムであって、
前記位相ブレンダが、前記キャパシタに結合され、前記キャパシタをプリチャージすることができる、キャパシタプリチャージトランジスタを更に含む、システム。
【請求項１７】
請求項１４に記載のシステムであって、
前記制御スイッチと前記重み付きスイッチとがオフ状態に駆動されるときに前記プリチャージトランジスタがオン状態に遷移される、システム。
【請求項１８】
請求項１４に記載のシステムであって、
前記位相ブレンダが、
第２のビット値によって駆動される第２の制御スイッチと、
第２のクロック信号によって駆動される第２の重み付きスイッチと、
前記第２の制御スイッチと前記第２の重み付きスイッチとの間に結合される第２の中間ノードと、
前記中間ノードに結合され、前記第２のクロック信号の反転によって駆動される第２のプリチャージトランジスタと、
を更に含み、
前記第１の重み付きスイッチが、前記第２の重み付きスイッチと実質的に同じキャパシタンスを有する、システム。
【請求項１９】
請求項１８に記載のシステムであって、
前記キャパシタが前記第２の制御スイッチと前記第２の重み付けスイッチとに結合され、前記キャパシタが、前記第１のクロック信号と前記第２のクロック信号との混合位相出力を発生するように、インバータに結合される、システム。
【請求項２０】
請求項１４に記載のシステムであって、
前記ビット値が制御ワードの一部である、システム。